(57)【要約】【課題】Ｉｎｔｅｒｎｅｔに接続する端末ユーザやサイトが有するコンテンツを遠隔地にある表示装置に表示するサービスを提供する。【解決手段】Ｉｎｔｅｒｎｅｔ又は専用回線に通信制御装置を介して接続する表示装置を複数管理する表示装置レンタルサービスプロバイダがあり、Ｉｎｔｅｒｎｅｔに接続する端末ユーザやサイトからの表示装置利用要求をＩｎｔｅｒｎｅｔを介して受け取り、利用する表示装置に応じた課金を行う。【選択図】        図１
2004334499.tif 000002
【特許請求の範囲】
【請求項１】
公共の場に設置された表示装置を少なくとも１つ所有又は使用契約しており、利用登録をしたＩｎｔｅｒｎｅｔに接続する端末ＵｓｅｒやサイトからのＩｎｔｅｒｎｅｔ経由での要求に応じて、前記表示装置の利用提供し、利用状況に応じて課金を行う事を特徴とする表示装置レンタルサービスプロバイダ（ＤＳＰ）。
【請求項２】
Ｉｎｔｅｒｎｅｔや衛星通信、無線通信などのｎｅｔｗｏｒｋを介して要請するＵｓｅｒやサイトとは独立した場所にある表示装置に画像や絵文字・文章などのコンテンツを表示するサービスを提供すると共にサービスに対する課金を行う事を特徴とするネットワークサービス及びネットワークシステム。
【発明の詳細な説明】
【０００１】
【発明の属する技術分野】
本発明はＩｎｔｅｒｎｅｔを介したネットワークサービスに関し、特に映像出力に関するものである。
【０００２】
【従来の技術】
従来Ｉｎｔｅｒｎｅｔを利用して情報発信するには電子掲示板やｗｅｂ  ｐａｇｅのように情報の受け手が積極的に情報を取得しに来て受信者の端末に直接表示されるものか、特開２００２−１０８７５２号公報のように、ｐｕｓｈ型情報提供のように契約した受信者の端末に情報を送り込んで表示させていた。
【０００３】
【特許文献】
特開２００２−１０８７５２号公報
【０００４】
【発明が解決しようとする課題】
しかしながら、上記従来例では、公共の場にある掲示板などにＩｎｔｅｒｎｅｔを利用して情報発信し表示することは不可能であった。
【０００５】
【課題を解決するための手段】
第三者への利用提供可能な表示装置を公共の場に用意し、その表示装置の利用をＩｎｔｅｒｎｅｔを介して受け付け、利用者に一時的な利用許諾を与えることにより、一個人であってもＩｎｔｅｒｎｅｔを利用して公衆向けに情報発信することが可能になる。
【０００６】
また、本サービスの利用相当分の課金を行うことで、表示装置レンタルサービスプロバイダ（ＤＳＰ）というネットワークビジネスが成立する。
【０００７】
表示するコンテンツは、ＤＳＰがＩｎｔｅｒｎｅｔを介して受け取り表示装置に表示してもよいし、利用者が利用許諾情報を用いて表示装置に表示させるようにしてもよい。
【０００８】
【発明の実施の形態】
〔実施例１〕
図１に本発明の実施例のネットワークシステムの構成を示す。１は本発明の表示装置レンタルサービスプロバイダ（ＤＳＰ）、２はＩｎｔｅｒｎｅｔ、３はＩｎｔｅｒｎｅｔに接続している端末Ｕｓｅｒ、４はコンテンツを配信しているサイト、５ａ，５ｂは制御装置、６ａ，６ｂは表示装置、７は専用通信回線である。
【０００９】
図２は本実施例におけるサービスの実施を説明するフローチャートである。
【００１０】
以下、図１，図２を用いて説明する。
【００１１】
本実施例において端末Ｕｓｅｒ３やサイト４は、遠隔地にある表示装置６ａ，６ｂにコンテンツの表示を希望している。コンテンツとしては静止画像、動画、テキストなどが考えられる。
【００１２】
図１では便宜上２つだけの表示装置を示したが、２つ以上の複数の表示装置をＤＳＰ１が管理してもよい。表示装置としてはＤＳＰ１が直接管理する表示装置以外に、街頭の大型Ｄｉｓｐｌａｙや駅の電子ホワイトボードのように別の管理母体がありそことＤＳＰが利用契約を結んで利用するものも考えられる。
【００１３】
・端末Ｕｓｅｒ３やサイト４は、Ｉｎｔｅｒｎｅｔ２を介してＤＳＰ１に表示装置の利用要求を行う。
【００１４】
・ＤＳＰ１は利用可能な表示装置に関する情報（設置場所、表示サイズ、利用料金など）を表示装置利用要求を送ってきた端末Ｕｓｅｒ３又はサイト４（以下、利用者と表記する）に返信する。
【００１５】
・利用者は利用する表示装置を選択し、表示するコンテンツデータと課金契約情報（利用者自身の情報や表示装置指定情報や表示形態情報や利用時間など）をＤＳＰ１に送る。利用者自身の情報は利用する度に送ってもよいし、利用者登録をしてＤＳＰ１の利用者データベースに記録しておいてもよい。
【００１６】
・ＤＳＰ１は利用者が指定した表示装置に利用者から受け取ったコンテンツデータと表示制御情報（表示形態情報や利用時間）を送る。なお、表示装置にコンテンツを送る前にコンテンツが猥褻物や誹謗中傷内容といった違法なものであるのを排除する為にＤＳＰにおいて内容ｃｈｅｃｋを行うことを利用契約に含めておいて、内容ｃｈｅｃｋを行ってもよい。
【００１７】
ＤＳＰ１から表示装置６ａ，６ｂにコンテンツデータを送る方法としては、図１に示すようにＩｎｔｅｒｎｅｔ２を介するものや専用通信回線７を介するものがある。専用通信回線としては専用線・無線・衛星通信などが考えられる。いずれにしても第三者からの不正使用を防ぐ必要があり、制御装置５ａ，５ｂはその為の機能も兼ねている。
【００１８】
・制御装置５ａ，５ｂは、ＤＳＰ１から送られてきたコンテンツを表示制御情報に従って表示装置６ａ，６ｂに表示する。
【００１９】
・表示制御情報で指示された表示時間が終了すると制御装置５ａ，５ｂはＤＳＰ１に表意装置の利用終了を通知する。
【００２０】
・ＤＳＰ１は表示装置の利用終了の通知と共に最終的な課金情報を利用者に通知する。
【００２１】
以上のように、利用者がＤＳＰ１を介して遠隔地にある表示装置に希望するコンテンツを表示するサービスを提供でき、ＤＳＰ１はそのサービスに課金することで収入を得ることができる。
【００２２】
〔実施例２〕
図３に本発明の別の実施例のネットワークシステムの構成を示す。１は本発明の表示装置レンタルサービスプロバイダ（ＤＳＰ）、２はＩｎｔｅｒｎｅｔ、３はＩｎｔｅｒｎｅｔに接続している端末Ｕｓｅｒ、４はコンテンツを配信しているサイト、５ｃは制御装置、６ｃは表示装置である。
【００２３】
図４は本実施例におけるサービスの実施を説明するフローチャートである。
【００２４】
以下、図３，図４を用いて説明する。
【００２５】
本実施例において端末Ｕｓｅｒ３やサイト４は、遠隔地にある表示装置６ｃにコンテンツの表示を希望している。コンテンツとしては静止画像、動画、テキストなどが考えられる。
【００２６】
図３では便宜上１つだけの表示装置を示したが、２つ以上の複数の表示装置をＤＳＰ１が管理してもよい。表示装置としてはＤＳＰ１が直接管理する表示装置以外に、街頭の大型Ｄｉｓｐｌａｙや駅の電子ホワイトボードのように別の管理母体がありそことＤＳＰが利用契約を結んで利用するものも考えられる。
【００２７】
・端末Ｕｓｅｒ３やサイト４は、Ｉｎｔｅｒｎｅｔ２を介してＤＳＰ１に表示装置の利用要求を行う。
【００２８】
・ＤＳＰ１は利用可能な表示装置に関する情報（設置場所、表示サイズ、利用料金など）を表示装置利用要求を送ってきた端末Ｕｓｅｒ３又はサイト４（以下、利用者と表記する）に返信する。
【００２９】
・利用者は利用する表示装置を選択し、課金契約情報（利用者自身の情報や表示装置指定情報や表示形態情報や利用時間など）をＤＳＰ１に送る。利用者自身の情報は利用する度に送ってもよいし、利用者登録をしてＤＳＰ１の利用者データベースに記録しておいてもよい。
【００３０】
・ＤＳＰ１は利用者に利用する表示装置のＵＲＬと利用の為のアクセスキーを送る。アクセスキーには表示制御情報（表示形態情報や利用時間）が含まれている。
【００３１】
・利用者は表示装置のＵＲＬ宛に利用の為のアクセスキーと表示するコンテンツデータを送る。
【００３２】
本実施例では表示装置６ｃはＩｎｔｅｒｎｅｔ２に接続しているので利用者はＩｎｔｅｒｎｅｔ２を介して利用できるが、同時にＩｎｔｅｒｎｅｔ２を介しての第三者からの不正使用の可能性がある。アクセスキー及び通信制御装置５ｃはそうした不正使用を防ぐ手段である。
【００３３】
・制御装置５ｃは、アクセスキーが有効であることを確認した後、アクセスキーに含まれる表示制御情報に従って利用者から送られてきたコンテンを表示装置６ｃにて表示を開始する。
【００３４】
・表示制御情報に従って表示が終了すると制御装置５ｃはＤＳＰ１に表示装置の利用終了を通知する。
【００３５】
・ＤＳＰ１は表示装置の利用終了の通知と共に最終的な課金情報を利用者に通知する。
【００３６】
以上のように、利用者がＤＳＰ１を介して遠隔地にある表示装置に希望するコンテンツを表示するサービスを提供でき、ＤＳＰ１はそのサービスに課金することで収入を得ることができる。
【００３７】
【発明の効果】
本発明記載のネットワークサービスによれば、遠隔地の表示装置にコンテンツを表示することが可能となる。
【図面の簡単な説明】
【図１】実施例１のネットワークシステムの構成図
【図２】実施例１のサービス実施の手順を示すフローチャート
【図３】実施例２のネットワークシステムの構成図
【図４】実施例２のサービス実施の手順を示すフローチャート
【符号の説明】
１  表示装置レンタルサービスプロバイダ（ＤＳＰ）
２  Ｉｎｔｅｒｎｅｔ
３  端末Ｕｓｅｒ
４  サイト
５ａ，５ｂ，５ｃ  通信制御装置
６ａ，６ｂ，６ｃ  表示装置
７  専用通信路
【図１】
2004334499.tif 000003
【図２】
2004334499.tif 000004
【図３】
2004334499.tif 000005
【図４】
2004334499.tif 000006